(57)【要約】【課題】  本発明は、フリップチップ型発光ダイオードに供給する電流を多くすることができるような構造にした発光ダイオード組立構造およびその製造方法並びに組立体を提供することを目的とする。【解決手段】  本発明は、一対の支持リード線が、絶縁部材内に埋設されて、フリップチップ型発光ダイオード支持体となる。前記支持リード線は、フリップチップ型発光ダイオードの電極との間に共晶ハンダが付けられ、加熱されて接続される。前記一対の支持リード線の他方の端部は、導電性熱硬化性接着剤を介して電源電極にそれぞれ接続されている。【選択図】    図１
2006019318.tif 000002
【特許請求の範囲】
【請求項１】
一対の電極を備えているフリップチップ型発光ダイオードと、
前記フリップチップ型発光ダイオードを支持する一対の支持リード線と、
前記一対の支持リード線の中間部が絶縁部材によって固定されている支持体と、
前記一対の支持リード線の一方の端部と前記フリップチップ型発光ダイオードの電極とが共晶ハンダを介して接続された接続部と、
前記支持リード線の他方の端部からなる接続電極と、
を少なくとも備えていることを特徴とする発光ダイオード組立構造。
【請求項２】
前記フリップチップ型発光ダイオードの全体、および前記支持リード線と前記支持体との少なくとも一部を透明封止樹脂で封止したことを特徴とする請求項１に記載された発光ダイオード組立構造。
【請求項３】
一対の支持リード線の中間部が絶縁部材と一体成形によって固定されて、フリップチップ型発光ダイオードの支持体とし、
前記支持体に固定されている一対の支持リード線の一方の端部とフリップチップ型発光ダイオードの電極との間に共晶ハンダを介した状態で、リフロー炉で加熱して接続し、
前記支持体に固定されている一対の支持リード線の他方の端部を接続電極としたことを特徴とする発光ダイオード組立構造の製造方法。
【請求項４】
前記発光ダイオード組立構造において、フリップチップ型発光ダイオードの全体、および前記支持リード線と前記支持体との少なくとも一部を透明封止樹脂で封止したことを特徴とする請求項３に記載された発光ダイオード組立構造の製造方法。
【請求項５】
下部に電極を有するフリップチップ型発光ダイオードと、
一対の支持リード線の中間部が絶縁部材と一体成形によって固定されたフリップチップ型発光ダイオードの支持体と、
前記支持体に固定されている一対の支持リード線の一方の端部と、前記フリップチップ型発光ダイオードの電極とを接続する共晶ハンダと、
前記支持体に固定されている一対の支持リード線の他方の端部に接続する電源電極と、
前記電源電極と前記支持体に固定されている一対の支持リード線の他方の端部とを接続する前記共晶ハンダより溶融温度の低い導電性熱硬化性接着剤またはハンダと、
前記フリップチップ型発光ダイオードの全体、および前記支持リード線と前記支持体との少なくとも一部を封止する透明封止樹脂と、
から少なくとも構成されていることを特徴とする発光ダイオード組立体。
【請求項６】
前記電源電極は、多面体または曲面体からなり、一対の電極がその表面に形成され、複数のフリップチップ型発光ダイオードが前記一対の支持リード線を介して接続されていることを特徴とする請求項５に記載された発光ダイオード組立体。
【請求項７】
前記電源電極は、多面体または曲面体からなり、三対の電極がその表面に形成され、各一対の電極にそれぞれ緑色、青色、赤色のフリップチップ型発光ダイオードが接続されていることを特徴とする請求項５に記載された発光ダイオード組立体。
【請求項８】
前記緑色、青色、赤色のフリップチップ型発光ダイオードは、制御回路により電圧および／または電流が制御されることにより色調が制御されることを特徴とする請求項７に記載された発光ダイオード組立体。
【発明の詳細な説明】
【技術分野】
【０００１】
本発明は、フリップチップ型発光ダイオード、一対の支持リード線、および発光ダイオード支持体とから少なくとも構成された発光ダイオード組立構造、発光ダイオード組立構造の製造方法、および発光ダイオード組立体に関するものである。特に、本発明は、フリップチップ型発光ダイオードの電極と、一対の支持リード線と、電源電極との接合に対する信頼性を向上させるために共晶ハンダペーストと導電性熱硬化性接着剤を使用した発光ダイオード組立構造、発光ダイオード組立構造の製造方法、および発光ダイオード組立体に関するものである。
【背景技術】
【０００２】
たとえば、特願２００４−１０７０４３号に記載されている発光ダイオード組立体の組立方法は、サブマウントに形成された配線上には、共晶ハンダペースト、共晶ハンダとフラックス、あるいは金−錫共晶ハンダペーストが所定の位置に載置され、その上に、フリップチップ型発光ダイオードの電極が配置された後、リフロー炉を通過させ、前記両者が接続される。
【０００３】
一方、前記フリップチップ型発光ダイオードを囲む複数のプラスチック製筒体は、成形時にその内部を貫通するリードフレームとともに作製される。前記リードフレームの一端は、導電性接着剤を介して前記サブマウントに形成された配線に接続される。
【特許文献１】特願２００４−１０７０４３号
【発明の開示】
【発明が解決しようとする課題】
【０００４】
発光層からの光を電極の反対側の面から取り出すフリップチップ型発光ダイオードは、電極による光の遮りがないため、明るさが明るく、発光効率が良い。しかし、前記フリップチップ型発光ダイオードは、一個の光源として、電流の供給量に制限があり、照明用、ディスプレー用、あるいは、表示装置用として充分でなかった。前記表示装置は、点からなる一つのフリップチップ型発光ダイオードを多数集めた面光源であり、光量にも限界があり、照明用、ディスプレー用、あるいは、表示装置用に使用することができないという問題があった。
【０００５】
以上のような課題を解決するために、本発明は、フリップチップ型発光ダイオードに供給する電流を多くすることができるような構造にした発光ダイオード組立構造、発光ダイオード組立構造の製造方法、および発光ダイオード組立体を提供することを目的とする。
【０００６】
本発明は、複数個のフリップチップ型発光ダイオードを一個に纏めることにより、照明用、ディスプレー用、あるいは、表示装置用に使用することができる発光ダイオード組立構造、発光ダイオード組立構造の製造方法、および発光ダイオード組立体を提供することを目的とする。
【課題を解決するための手段】
【０００７】
（第１発明）
第１発明の発光ダイオード組立構造は、一対の電極を備えているフリップチップ型発光ダイオードと、前記フリップチップ型発光ダイオードを支持する一対の支持リード線と、前記一対の支持リード線の中間部が絶縁部材によって固定されている支持体と、前記一対の支持リード線の一方の端部と前記フリップチップ型発光ダイオードの電極とが共晶ハンダを介して接続された接続部と、前記支持リード線の他方の端部からなる接続電極とを少なくとも備えていることを特徴とする。
【０００８】
（第２発明）
第２発明の発光ダイオード組立構造は、第１発明において、フリップチップ型発光ダイオードの全体、および支持リード線と前記支持体との少なくとも一部を透明封止樹脂で封止したことを特徴とする。
【０００９】
（第３発明）
第３発明の発光ダイオード組立構造の製造方法は、一対の支持リード線の中間部が絶縁部材と一体成形によって固定されて、フリップチップ型発光ダイオードの支持体とし、前記支持体に固定されている一対の支持リード線の一方の端部とフリップチップ型発光ダイオードの電極との間に共晶ハンダを介した状態で、リフロー炉で加熱して接続し、前記支持体に固定されている一対の支持リード線の他方の端部を接続電極としたことを特徴とする。
【００１０】
（第４発明）
第４発明の発光ダイオード組立構造の製造方法は、第３発明の発光ダイオード組立構造において、フリップチップ型発光ダイオードの全体、および前記支持リード線と前記支持体との少なくとも一部を透明封止樹脂で封止したことを特徴とする。
【００１１】
（第５発明）
第５発明の発光ダイオード組立体は、下部に電極を有するフリップチップ型発光ダイオードと、一対の支持リード線の中間部が絶縁部材と一体成形によって固定されたフリップチップ型発光ダイオードの支持体と、前記支持体に固定されている一対の支持リード線の一方の端部と、前記フリップチップ型発光ダイオードの電極とを接続する共晶ハンダと、前記支持体に固定されている一対の支持リード線の他方の端部に接続する電源電極と、前記電源電極と前記支持体に固定されている一対の支持リード線の他方の端部とを接続する前記共晶ハンダより溶融温度の低い導電性熱硬化性接着剤またはハンダと、前記フリップチップ型発光ダイオードの全体、および前記支持リード線と前記支持体との少なくとも一部を封止する透明封止樹脂とから少なくとも構成されていることを特徴とする。
【００１２】
（第６発明）
第６発明の発光ダイオード組立体において、第５発明における電源電極は、多面体または曲面体からなり、一対の電極がその表面に形成され、複数のフリップチップ型発光ダイオードが前記一対の支持リード線を介して接続されていることを特徴とする。
【００１３】
（第７発明）
第７発明の発光ダイオード組立体において、第５発明における電源電極は、多面体または曲面体からなり、三対の電極がその表面に形成され、各一対の電極にそれぞれ緑色、青色、赤色のフリップチップ型発光ダイオードが接続されていることを特徴とする。
【００１４】
（第８発明）
第８発明の発光ダイオード組立体において、第７発明における緑色、青色、赤色のフリップチップ型発光ダイオードは、制御回路により電圧および／または電流が制御されることにより色調が制御されることを特徴とする。
【発明の効果】
【００１５】
本発明によれば、フリップチップ型発光ダイオードの電極と、一対の支持リード線と、電源電極とを共晶ハンダペースト、共晶ハンダとフラックス、あるいは金−錫共晶ハンダペーストを用いて接続するため、前記共晶ハンダが広がって隣の配線と短絡するのを防止することができる。
【００１６】
本発明によれば、フリップチップ型発光ダイオードを支持する一対の支持リード線は、単なる配線と異なり、フリップチップ型発光ダイオードを支持する強度と、大きな電流を供給できる太さを有するため、明るさを大きくして、照明用、ディスプレー用、あるいは、表示装置用にすることができる。
【００１７】
本発明によれば、電源電極に複数個のフリップチップ型発光ダイオードを接続できるため、面光源から立体光源となり、明るさおよび形状が照明用、ディスプレー用、あるいは、表示装置用として優れたものとなる。
【００１８】
本発明によれば、フリップチップ型発光ダイオードが支持リード線により、空中に支持されるので、発光した光りが上面だけでなく、側面や下面にも照射されて有効に使えるので、効率が良い。また、前記複数個からなるフリップチップ型発光ダイオードは、上面、側面、および下面からの光りが互いに重なり合いながら立体光源となるため、強い光りを照射することができる。
【発明を実施するための最良の形態】
【００１９】
（第１発明）
第１発明の発光ダイオード組立構造は、下面に電極を備えたフリップチップ型発光ダイオードで、前記フリップチップ型発光ダイオードが一対の支持リード線によって支持されている。前記一対の支持リード線は、前記フリップチップ型発光ダイオードとともに、たとえば、セラミックスまたはガラス等の絶縁部材内に埋設されて、一体的に固定されている。
【００２０】
前記絶縁部材は、セラミック粉末、放電焼結体、あるいは、型による熱硬化樹脂等により、前記一対の支持リード線とともに一体成形されて、フリップチップ型発光ダイオードの支持体となる。前記一対の支持リード線は、前記フリップチップ型発光ダイオードを支持する強度を備えたものであり、通常の配線と異なり、導電性の優れた素材であるだけでなく、大きな電流を供給することができる。前記一対の支持リード線は、たとえば、所定の強度を有するタングステンまたはステンレス等である。
【００２１】
前記一対の支持リード線の一方の端部は、共晶ハンダを介してフリップチップ型発光ダイオードの電極と接続された接続部となっている。また、前記一対の支持リード線の他方の端部は、電源等に接続する接続電極となる。前記一対の支持リード線の一方または他方の端部は、たとえば、金メッキ等を施すことにより、接続時の電気的接触を良くすることができる。
【００２２】
（第２発明）
第２発明の発光ダイオード組立構造は、前記フリップチップ型発光ダイオードの全体、および前記一対の支持リード線と前記フリップチップ型発光ダイオード支持体の少なくとも一部、または前記一対の支持リード線の他方の端部以外が透明封止樹脂で封止されている。前記発光ダイオード組立構造は、フリップチップ型発光ダイオードの全体を前記透明封止樹脂で封止することにより、単体の電子部品として扱いが容易になる。また、フリップチップ型発光ダイオードは、全体が透明樹脂で覆われているので、どの方向へも光りが出るという特徴を有する。
【００２３】
（第３発明）
第３発明の発光ダイオード組立構造の製造方法は、一対の支持リード線の中間部が、たとえば、セラミックまたはガラス等の絶縁部材内に埋設される。前記絶縁部材は、セラミック粉末、放電焼結体により、あるいは、熱硬化樹脂等により、前記一対の支持リード線とともに一体成形されて、フリップチップ型発光ダイオードの支持体となる。前記一対の支持リード線は、前記フリップチップ型発光ダイオードを支持する強度を備えたものであり、通常の配線と異なり、導電性の優れた素材であるだけでなく、大きな電流を供給することができる。
【００２４】
次に、前記一対の支持リード線の一方の端部とフリップチップ型発光ダイオードの電極との間には、共晶ハンダが付けられる。その後、前記フリップチップ型発光ダイオードの電極と前記一対の支持リード線の一方の端部とは、リフロー炉で共晶ハンダが加熱されて、接続される。前記一対の支持リード線の他方の端部は、導電性熱硬化性接着剤や前記共晶ハンダより低い温度で溶融するハンダ等を介して電源電極にそれぞれ接続されている。前記一対の支持リード線の両端部は、前記フリップチップ型発光ダイオードの電極や前記電源電極のサイズに合わせるとともに平坦に成形されている。
【００２５】
前記フリップチップ型発光ダイオードは、フリップチップ型発光ダイオードの支持体と一対の支持リード線により固定されているため、小型のフリップチップ型発光ダイオードに多くの電流を供給することができるだけでなく、一個の電子部品として扱いが容易である。
【００２６】
前記一対の支持リード線の一方の端部と前記フリップチップ型発光ダイオードの電極とは、たとえば、共晶ハンダにより接続され、前記電源電極と前記一対の支持リード線の他方の端部とは、導電性熱硬化性接着剤により接続されている。前記共晶ハンダと導電性熱硬化性接着剤は、溶融温度が異なるので、フリップチップ型発光ダイオードを組み立てる際に、一対の支持リード線の他方の端部を接続中に一方の端部が離れるという不都合がなくなる。
【００２７】
第３発明の発光ダイオード組立構造の製造方法は、共晶ハンダが共晶ハンダペースト、共晶ハンダとフラックス、または金−錫共晶ハンダペーストのいずれかとすることにより、リフロー処理における温度であっても、ペーストの溶剤やフラックスが発散するだけで、共晶ハンダがはみだすことがなく、隣合った配線と短絡することがない。
【００２８】
第３発明の発光ダイオード組立構造の製造方法は、共晶ハンダペースト、共晶ハンダとフラックス、あるいは、金−錫共晶ハンダを蒸着またはメッキ法により所望の厚さ、および均一に形成できるため、一対の配線と一対の電極とが安定して接続される。
【００２９】
（第４発明）
第４発明の発光ダイオード組立構造の製造方法は、前記フリップチップ型発光ダイオード、前記一対の支持リード線、およびフリップチップ型発光ダイオード支持体が組み立てられた後に、必要個所が透明封止樹脂で封止されている。前記フリップチップ型発光ダイオードは、前記一対の支持リード線およびフリップチップ型発光ダイオードの支持体以外に、前記透明封止樹脂により、単体の電子部品として扱いが容易になる。
【００３０】
（第５発明）
第５発明の発光ダイオード組立体は、フリップチップ型発光ダイオード、フリップチップ型発光ダイオードの支持体、電源電極と、これらを接続する共晶ハンダおよび導電性熱硬化性接着剤と、ほぼ全体を覆う透明封止樹脂とから少なくとも構成されている。
【００３１】
前記フリップチップ型発光ダイオードの支持体は、たとえば、所定の強度を有するタングステンまたはステンレス等からなる一対の支持リード線が絶縁部材内に一体成形されている。フリップチップ型発光ダイオードは、下部に電極を有し、上方で発光する。電源電極は、前記一対の支持リード線の他方の端部が接続される。
【００３２】
前記一対の支持リード線の一方の端部と前記フリップチップ型発光ダイオードの電極とは、共晶ハンダにより接続され、前記電源電極と前記一対の支持リード線の他方の端部とは、たとえば、前記共晶ハンダより溶融温度の低い導電性熱硬化性接着剤、共晶ハンダ、またはハンダにより接続されている。前記共晶ハンダと導電性熱硬化性接着剤等は、溶融温度が異なるので、フリップチップ型発光ダイオードを組み立てる際に、一対の支持リード線の他方の端部を接続中に一方の端部が離れるという不都合がなくなる。
【００３３】
前記フリップチップ型発光ダイオード、支持リード線、およびフリップチップ型発光ダイオード支持体は、透明封止樹脂により、３者の固定をより堅固にするために必要個所を封止する。
【００３４】
フリップチップ型発光ダイオードは、前記支持リード線により、電極等から離れて支持されているため、光りが全方向に照射できる。電源電極は、前記一対の支持リード線の他方の端部が接続される。
【００３５】
（第６発明）
第６発明の発光ダイオード組立体における電源電極は、三角形（４面体）、四角形（６面体）、およびさらに多くの面を有する多面体または曲面体等からなり、その少なくとも一つの面または曲面、あるいは、複数の面または複数の曲面に複数のフリップチップ型発光ダイオードの支持リード線の他方の端部と接続される。すなわち、前記電源電極は、少なくとも一つの面または曲面に前記発光ダイオード組立体の支持リード線の他方の端部を接続することができるプラス電極とマイナス電極とが備えられている。
【００３６】
第６発明の発光ダイオード組立体における電源電極には、複数のフリップチップ型発光ダイオードが接続されている。すなわち、前記電源電極と前記一対の支持リード線は、複数の面において、接続されているため、前記発光ダイオードの光が多方向から見ることができる。
【００３７】
第６発明の発光ダイオード組立体は、前記電源電極全面に、複数のフリップチップ型発光ダイオードが取り付けられてほぼ球状にすることができる。また、前記発光ダイオード組立体は、電源電極の一面を残して全面に、複数のフリップチップ型発光ダイオードが取り付けられてほぼ半球状にすることもできる。第６発明の発光ダイオード組立体は、一つ一つが面光源であるが、立体光源として、電球のような照明等の使い方ができる。
【００３８】
（第７発明）
第７発明の発光ダイオード組立体は、一つのフリップチップ型発光ダイオード内に緑色、青色、赤色の３色が予め並列に配置されており、印加電圧により色調を変えることができる。前記電源電極は、多面体または曲面体からなり、三対の電極がその表面に形成されている。緑色、青色、赤色のフリップチップ型発光ダイオードは、それぞれ一対の電極が前記三対の電極にそれぞれ接続されている。前記三対の電極は、一方の電極を共通電極とすることができる。
【００３９】
第７発明の発光ダイオード組立体は、フリップチップ型発光ダイオードの種類を赤色、黄色、橙色、緑色、青色の内の少なくとも三種類とすることができる。前記発光ダイオード組立体は、ディスプレー用、装飾用、あるいは、表示装置用の発光ダイオード組立体とするため、フリップチップ型発光ダイオードの色を複数にすることにより、変化に富んだものができる。
【００４０】
（第８発明）
第８発明の発光ダイオード組立体は、フリップチップ型発光ダイオードの電極に対して並列に緑色、青色、赤色の３色の素子が設けられ、電圧および／または電流が制御される。制御回路は、前記電極に印加される電圧および／または電流を制御することにより色調が制御される。前記発光ダイオード組立体は、照明用、ディスプレー用、あるいは、表示装置用に優れた効果を発揮する。
【実施例１】
【００４１】
図１は本発明の第１実施例で、発光ダイオード組立体を説明するための概略斜視図である。図１において、発光ダイオード組立体１１は、下部に電極１３、１３′を有し、上方で光るフリップチップ型発光ダイオード１２と、前記電極１３、１３′に接続された一対の支持リード線１４、１４′と、前記支持リード線１４、１４′を固定する絶縁支持部材１５とから少なくとも構成されている。
【００４２】
前記支持リード線１４、１４′は、一方の端部がフリップチップ型発光ダイオード１２の電極１３、１３′に接続する接続部１７と、他方の端部が後述する電源電極に接続する接続電極１８とから構成されている。
【００４３】
前記フリップチップ型発光ダイオード１２の電極１３、１３′は、その間隔がたとえば、約１５０μｍ程度離れて設けられており、それぞれの大きさが１２０μｍ程度である。前記一対の支持リード線１４、１４′は、たとえば、直径１００μｍ程度のタングステンまたはステンレス部材等からなる。
【００４４】
前記一対の支持リード線１４、１４′の両端部は、平坦化されて、前記接続部１７と接続電極１８を構成し、電気的接続を良好にしている。また、前記接続部１７および接続電極１８は、金メッキ等を施すことにより、この部分における電気抵抗を低減することができる。
【００４５】
前記絶縁支持部材１５は、たとえば、セラミックスまたはガラス等からなり、前記一対の支持リード線１４、１４′を一体成形により内部に埋設する。前記成形は、たとえば、放電焼結体、あるいは、熱硬化樹脂等一般に使用される手段による。前記一対の支持リード線１４、１４′の一端部である接続部１７は、共晶ハンダペースト、共晶ハンダとフラックス、あるいは、金−錫共晶ハンダペースト等を介し、リフロー炉を通過させることによりフリップチップ型発光ダイオード１２の電極１３、１３′に電気的および機械的に接続される。
【００４６】
また、前記一対の支持リード線１４、１４′の他端部である接続電極１８は、後述する電源電極に導電性熱硬化性接着剤を介して、電気的および機械的に接続される。前記一対の支持リード線１４、１４′の両端部における平坦化された接続部１７および接続電極１８は、前記共晶ハンダおよび導電性熱硬化性接着剤により接続する際に安定でしかも堅固になる。また、共晶ハンダと導電性熱硬化性接着剤とは、温度が異なるため、導電性熱硬化性接着剤を熱硬化させる間に、共晶ハンダが外れることがない。
【００４７】
前記接続電極１８と後述の電源電極との接続は、前記共晶ハンダより溶融温度が低い共晶ハンダ、ハンダを使用することができる。
【００４８】
透明封止樹脂１６は、エポキシ樹脂を主成分とした熱硬化性樹脂で、透明性および耐熱性に優れたものを選択し、前記フリップチップ型発光ダイオード１２、一対の支持リード線１４、１４′、および絶縁支持部材１５を封止する。
【実施例２】
【００４９】
図２は本発明の第２実施例で、複数のフリップチップ型発光ダイオードを一体に接続する際の電源電極を説明するための斜視図である。図２において、電源電極２１は、たとえば、プラス電極２２とマイナス電極２３とが６面体の全てを覆うように形成されている。しかし、前記プラス電極２２とマイナス電極２３は、少なくとも一面に設けることができる。また、前記電源電極２１は、正６面体である必要はなく、三角錐、多角体、曲面体等任意の形状をとることができる。
【実施例３】
【００５０】
図３は本発明の第３実施例で、電源電極に複数のフリップチップ型発光ダイオードが接続されている状態を説明するための図である。図３において、電源電極２１は、複数のフリップチップ型発光ダイオード１２によって覆われている。すなわち、複数のフリップチップ型発光ダイオード１２における一対の支持リード線１４、１４′は、前記電源電極２１の５面に接続電極１８により接続され、残りの１面に設けられたリード線３１から電力が供給されている。
【００５１】
前記電源電極２１の周りに取り付けられた複数のフリップチップ型発光ダイオード１２は、全体で球状、半球状、筒状、その他の形状にすることができる。前記球状または半球状等の立体光源は、一つの光源として明るさが大きく、照明用、ディスプレー用、あるいは、表示装置用とすることができる。特に、前記表示装置は、電源電極２１を面状に広げることにより、複数のフリップチップ型発光ダイオード１２を面状に形成することもできる。
【００５２】
フリップチップ型発光ダイオード１２は、赤色、橙色、黄色、緑色、青色等がある。前記透明封止樹脂１６は、耐熱性を有し、前記フリップチップ型発光ダイオード１２、一対の支持リード線１４、１４′、絶縁支持部材１５、および電源電極２１の周囲を覆い、所望のレンズを構成することができる。
【００５３】
次に、前記発光ダイオード組立体１１の作製方法を説明する。フリップチップ型発光ダイオード１２は、たとえば、シリコンからなる半導体ウエハから構成される基板上に電極１３、１３′が形成される（図１を逆さまにして）。前記電極１３、１３′には、一方に平坦化された端部（接続部１７、接続電極１８）からなる一対の支持リード線１４、１４′が共晶ハンダペースト、共晶ハンダとフラックス、あるいは金−錫共晶ハンダペーストがたとえば、ロボット等を介して載置される。
【００５４】
その後、前記フリップチップ型発光ダイオード１２と、絶縁支持部材１５に一体成形された一対の支持リード線１４、１４′とは、図示されていないリフロー炉を通過することにより、電気的および機械的に接続される。たとえば、前記リフロー炉内における前記金−錫共晶ハンダペーストは、後述する割合になっているため、加熱によりフラックスが発散した際に、前記ハンダ等が広がって薄くなることがなく、隣合った配線と短絡を起こすこともない。
【００５５】
前記一個の発光ダイオード組立体１１における一対の支持リード線１４、１４′は、たとえば、エポキシ系樹脂と銀粒子等を主成分とする導電性熱硬化性接着剤を介して前記電源電極２１に接続される。
【００５６】
本実施例に使用した前記金−錫共晶ハンダペーストは、金８０重量％、錫２０重量％、フラックス（荒川化学製）とし、接着面積は、０．２３×０．２３μｍとした。試験試料１ないし１０の接着強度は、約８００ｇから９００ｇあった。これに対して、従来の支持リード線とフリップチップ型発光ダイオードの電極との接合強度は、バンプ（直径の大きさ８０μｍ）５個について前記と同様な試験を行った結果、１個当たり８０ｇ程度であり、本実施例と比較して、約１／１０以下の強度であった。
【００５７】
前記発光ダイオード組立体１１は、図示されていない制御回路により、フリップチップ型発光ダイオード１２を点滅させて、文字列、画像、信号等にすることができる。また、前記フリップチップ型発光ダイオード１２は、印加電圧を変えて、その色調を変えることにより、表示装置、掲示板、広告装置、信号装置等に使用することができる。
【産業上の利用可能性】
【００５８】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明のフリップチップ型発光ダイオード、支持リード線、絶縁支持部材、共晶ハンダペースト、共晶ハンダとフラックス、金−錫共晶ハンダペースト等の材質は、公知または周知のものを使用することができる。
【００５９】
本発明のフリップチップ型発光ダイオードは、赤色、橙色、黄色、緑色、青色の内の一色または少なくとも複数色を電源電極上に所望の形状にすることができる。本発明の用途は、前記フリップチップ型発光ダイオードをマトリクス状、その他の形状に配置することで、表示装置、掲示板、広告装置、信号装置等に使用できる。また、前記フリップチップ型発光ダイオードは、前記各色を予め適当に配置することで、制御回路からの電圧および／または電流の制御、あるいは信号によりいろいろな文字、画像、模様、色調等にして表示することができる。
【図面の簡単な説明】
【００６０】
【図１】本発明の第１実施例で、発光ダイオード組立体を説明するための概略斜視図である。（実施例１）
【図２】本発明の第２実施例で、複数のフリップチップ型発光ダイオードを一体に接続する際の電源電極を説明するための斜視図である。（実施例２）
【図３】本発明の第３実施例で、電源電極に複数のフリップチップ型発光ダイオードが接続されている状態を説明するための図である。（実施例３）
【符号の説明】
【００６１】
１１・・・発光ダイオード組立体
１２・・・フリップチップ型発光ダイオード
１３、１３′・・・電極
１４、１４′・・・支持リード線
１５・・・絶縁支持部材
１６・・・透明封止樹脂
１７・・・接続部
１８・・・接続電極
２１・・・電源電極
２２・・・プラス電極
２３・・・マイナス電極
３１・・・リード線
【図１】
2006019318.tif 000003
【図２】
2006019318.tif 000004
【図３】
2006019318.tif 000005